【手続補正書】
【提出日】令和1年12月16日(2019.12.16)
【手続補正１】
【補正対象書類名】特許請求の範囲
【補正対象項目名】全文
【補正方法】変更
【補正の内容】
【特許請求の範囲】
【請求項１】
端末に応用される測定設定方法において、
第１通信システムの測定周波数点情報を含む第１測定設定と、第２通信システムの測定周波数点情報を含む第２測定設定をネットワーク側から受信することと、
前記ネットワーク側から測定ギャップ設定を受信することとを含む、測定設定方法。
【請求項２】
前記第１通信システムの周波数点測定に測定ギャップが必要であるかの情報、および、前記第２通信システムの周波数点測定に測定ギャップが必要であるかの情報を前記ネットワーク側にフィードバックすることをさらに含む、請求項１に記載の測定設定方法。
【請求項３】
前記第１測定設定は、第１通信システムの周波数点測定に測定ギャップが必要であるかの要求をさらに含み、
前記第２測定設定は、第２通信システムの周波数点測定に測定ギャップが必要であるかの要求をさらに含む、請求項２に記載の方法。
【請求項４】
第１測定設定と第２測定設定をネットワーク側から受信することは、
前記第１通信システムの第１基地局から送信される第１測定設定を受信し、前記第２通信システムの第２基地局から送信される第２測定設定を受信することを含み、
前記第１通信システムの周波数点測定に測定ギャップが必要であるかの情報、および、前記第２通信システムの周波数点測定に測定ギャップが必要であるかの情報を前記ネットワーク側にフィードバックすることは、
前記第１通信システムの周波数点測定に測定ギャップが必要であるかの情報を前記第１基地局にフィードバックし、前記第１通信システムの周波数点測定に測定ギャップが必要であるかの情報を第２基地局にフィードバックすることを含み、
前記ネットワーク側から測定ギャップ設定を受信することは、
前記第１基地局によって設定される第１通信システムの周波数点測定の測定ギャップを受信し、前記第２基地局によって設定される第２通信システムの周波数点測定の測定ギャップを受信することを含む、請求項２に記載の方法。
【請求項５】
第１測定設定と第２測定設定をネットワーク側から受信することは、
前記第１通信システムの第１基地局から送信される第１測定設定を受信し、前記第２通信システムの第２基地局から送信される第２測定設定を受信することを含み、
前記第１通信システムの周波数点測定に測定ギャップが必要であるかの情報、および、前記第２通信システムの周波数点測定に測定ギャップが必要であるかの情報を前記ネットワーク側にフィードバックすることは、
前記第１通信システムの周波数点測定に測定ギャップが必要であるかの情報、および、前記第２通信システムの周波数点測定に測定ギャップが必要であるかの情報を前記第１基地局にフィードバックすることを含み、
前記ネットワーク側から測定ギャップ設定を受信することは、
前記第１基地局によって設定される第１通信システムの周波数点測定の測定ギャップおよび第２通信システムの周波数点測定の測定ギャップを受信することを含む、請求項２に記載の方法。
【請求項６】
前記第１基地局が端末に対し前記第１通信システムの新規の搬送波を１つ設定すると、各搬送波の周波数点測定の測定ギャップ能力の第１更新情報を前記第１基地局にフィードバックすることと、
前記第１基地局が前記第１更新情報に基づいて前記端末に対し設定した第１通信システム側のすべての搬送波の周波数点測定の測定ギャップを受信することとをさらに含む、請求項４または５に記載の方法。
【請求項７】
前記第２通信システム側の搬送波の周波数点測定の測定ギャップ能力が変化すると、
前記第２通信システムの周波数点測定に測定ギャップが必要であるかの第２更新情報を前記第２基地局に送信することと、
前記第２基地局が前記第２更新情報に基づいて前記端末に対し設定した前記第２通信システムの周波数点測定の測定ギャップを受信することとをさらに含む、請求項６に記載の方法。
【請求項８】
前記第２通信システム側の搬送波の周波数点測定の測定ギャップ能力が変化すると、
前記第２通信システムの周波数点測定に測定ギャップが必要であるかの第３更新情報を前記第１基地局に送信することと、
前記第１基地局が前記第３更新情報に基づいて前記端末に対し設定した第２通信システムの周波数点測定の測定ギャップを受信することとをさらに含む、請求項６に記載の方法。
【請求項９】
第１測定設定と第２測定設定をネットワーク側から受信することは、
前記第１通信システムの第１基地局から送信される第１測定設定と第２測定設定を受信することを含み、
前記第１通信システムの周波数点測定に測定ギャップが必要であるかの情報、および、前記第２通信システムの周波数点測定に測定ギャップが必要であるかの情報を前記ネットワーク側にフィードバックすることは、
前記第１通信システムの周波数点測定に測定ギャップが必要であるかの情報、および、前記第２通信システムの周波数点測定に測定ギャップが必要であるかの情報を前記第１基地局にフィードバックすることを含み、
前記ネットワーク側から測定ギャップ設定を受信することは、
前記第１基地局によって設定される第１通信システムの周波数点測定の測定ギャップおよび第２通信システムの周波数点測定の測定ギャップを受信することを含む、請求項２に記載の方法。
【請求項１０】
第２通信システムの少なくとも一部の基地局に対し測定を行うための第３測定設定を、前記第１通信システムの第１基地局から受信することと、
前記第３測定設定に基づいて、前記第２通信システムの少なくとも一部の基地局を測定して測定結果を取得し、前記測定結果を前記第１基地局に報知することと、
第２通信システムのうち、前記第１基地局が前記測定結果に基づいて前記第２通信システムの少なくとも一部の基地局から選択した第２基地局の関連情報を前記第１基地局から受信することと、
前記第２通信システムの第２基地局と接続を確立して、前記端末と前記第１通信システムの第１基地局および前記第２通信システムの第２基地局との異システムデュアル接続を確立することとをさらに含む、請求項２に記載の方法。
【請求項１１】
前記第３測定設定は、
第２通信システムの測定周波数点情報と第２通信システムの周波数点測定の測定ギャップを含み、
前記の第２通信システムの少なくとも一部の基地局に対し測定を行うための第３測定設定を、第１通信システムの第１基地局から受信することは、
前記第１基地局から送信される第２通信システムの測定周波数点情報および対応する周波数点測定に測定ギャップが必要であるかの要求を受信することと、
前記第２通信システムの周波数点測定に測定ギャップが必要であるかのフィードバック結果を前記第１基地局に送信することと、
前記第１基地局がフィードバック結果に基づいて特定される第２通信システムの周波数点測定の測定ギャップを前記第１基地局から受信することとを含む、請求項１０に記載の方法。
【請求項１２】
第１通信システムの第１基地局に応用される測定設定方法において、
第１通信システムの測定周波数点情報を含む第１測定設定を、前記第１基地局に接続される端末に送信することと、
測定ギャップ設定を前記端末に送信することとを含む、測定設定方法。
【請求項１３】
第１通信システムの測定周波数点情報を含む第１測定設定を、第２通信システムのうち、前記端末に接続される第２基地局に送信することと、
第２通信システムの測定周波数点情報を含む第２測定設定を、前記第２通信システムの第２基地局から受信することとをさらに含む、請求項１２に記載の方法。
【請求項１４】
第１受信器を含む端末において、
前記第１受信器は、
第１通信システムの周波数点の情報を含む第１測定設定と、第２通信システムの周波数点の情報を含む第２測定設定をネットワーク側から受信し、
さらに、前記ネットワーク側から測定ギャップ設定を受信する、端末。
【請求項１５】
第２送信器を含む第１基地局において、
第２送信器は、
第１通信システムの測定周波数点情報を含む第１測定設定を、前記第１基地局に接続される端末に送信し、
さらに、前記第１通信システムの周波数点測定の測定ギャップを前記端末に送信する、第１基地局。